(57)【特許請求の範囲】
【請求項１】
画像データに付与された、該画像データが市松サンプリングされたものであるか正方サンプリングされたものであるかを表すサンプリング情報に基づいて、該画像データのサンプリング配置を判別し、
該サンプリング配置が前記市松サンプリングであると判別された場合、Ｎ×Ｍ（Ｎ，Ｍの少なくとも一方は３以上）の高次の補間フィルタにおけるフィルタ係数の配置を、４５度回転させたフィルタ係数の配置を有する補間フィルタによって、前記画像データに対してフィルタリング処理を施すことにより、前記画像データを正方サンプリングされた画像データに変換することを特徴とする画像変換方法。
【請求項２】
前記フィルタ係数が、４×４のCubicスプライン補間演算を行う補間フィルタのフィルタ係数であることを特徴とする請求項１記載の画像変換方法。
【請求項３】
画像データに付与された、該画像データが市松サンプリングされたものであるか正方サンプリングされたものであるかを表すサンプリング情報に基づいて、該画像データのサンプリング配置を判別する判別手段と、
該サンプリング配置が前記市松サンプリングであると判別された場合、Ｎ×Ｍ（Ｎ，Ｍの少なくとも一方は３以上）の高次の補間フィルタにおけるフィルタ係数の配置を、４５度回転させたフィルタ係数の配置を有する補間フィルタによって、前記画像データに対してフィルタリング処理を施すことにより、前記画像データを正方サンプリングされた画像データに変換する変換手段とを備えたことを特徴とする画像変換装置。
【請求項４】
前記フィルタ係数が、４×４のCubicスプライン補間演算を行う補間フィルタのフィルタ係数であることを特徴とする請求項３記載の画像変換装置。
【請求項５】
画像データに付与された、該画像データが市松サンプリングされたものであるか正方サンプリングされたものであるかを表すサンプリング情報に基づいて、該画像データのサンプリング配置を判別する手順と、
該サンプリング配置が前記市松サンプリングであると判別された場合、Ｎ×Ｍ（Ｎ，Ｍの少なくとも一方は３以上）の高次の補間フィルタにおけるフィルタ係数の配置を、４５度回転させたフィルタ係数の配置を有する補間フィルタによって、前記画像データに対してフィルタリング処理を施すことにより、前記画像データを正方サンプリングされた画像データに変換する手順とを有することを特徴とする画像変換方法をコンピュータに実行させるためのプログラムを記録したコンピュータ読取り可能な記録媒体。
【請求項６】
前記フィルタ係数が、４×４のCubicスプライン補間演算を行う補間フィルタのフィルタ係数であることを特徴とする請求項５記載のコンピュータ読取り可能な記録媒体。
【請求項７】
請求項３または４記載の画像変換装置を備えたことを特徴とする撮像装置。
【請求項８】
請求項３または４記載の画像変換装置を備えたことを特徴とする出力装置。
【発明の詳細な説明】
【０００１】
【発明の属する技術分野】
本発明は、市松サンプリングされた画像データを正方サンプリングされた画像データに変換する画像変換方法および装置並びに画像変換方法をコンピュータに実行させるためのプログラムを記録したコンピュータ読取り可能な記録媒体に関するものである。
【０００２】
【従来の技術】
図２に示すような画素配列において、○印の位置には信号値を有し、×印の位置には信号値を有さないようなサンプリングは市松サンプリングと称される。このような市松サンプリングは実際には図１１（ａ）に示すように画素が配列されてなるものであり、図１１（ｂ）に示すような画素配列（正方サンプリングと称する）と比較すると、画素が密となるため同一の面積であれば得られる情報が多くなる。なお、市松サンプリングの画像データは、市松状に光電変換素子が配置されたＣＣＤを有するデジタルカメラにより撮影を行う等により得られるが、デジタルカメラにおいて正方状に光電変換素子が配置されたＣＣＤを使用し、１回の撮影において一度画像データを取り込んだ後、ＣＣＤを斜め４５度方向にずらして２回目の画像データを取り込むことによっても得ることができる。また、正方状に光電変換素子が配置されたＣＣＤにより得られた画像データのサンプリングを市松状にすることによっても得ることができる。
【０００３】
しかしながら、ＣＲＴモニタやプリント用紙等の画像出力媒体に出力する画像出力装置や画像処理装置においては、○印および×印の全ての位置において信号値を有する正方サンプリングがなされた画像データを表示対象あるいは処理対象としているため、市松サンプリングがなされた画像データを表示等するためには、○印の位置における信号値に対して補間演算を施すことにより×印の位置における信号値を算出し、画像データを市松サンプリングから正方サンプリングに変換する必要がある。
【０００４】
このため、カメラにおいてマイクロレンズをＣＣＤの前段に市松状に配置し、ＣＣＤにおいて得られた市松状の信号値に対して、図１２に示すような線形補間フィルタによって、上下左右の信号値の平均値を求めるようなフィルタリング処理を施して、図２の×位置における信号値を算出することにより、市松サンプリングされた画像データを正方サンプリングされた画像データに変換する方法が提案されている（特開平５−１４５８５７号）。
【０００５】
【発明が解決しようとする課題】
しかしながら、上記特開平５−１４５８５７号に記載された方法は、図１２に示す概略菱形の特性を有する補間フィルタを用いて、図２の×印の位置（以下補間点とする）における上下左右の信号値の単純な平均値を算出することにより補間点の信号値を求めているため、市松サンプリングされた画像データのナイキスト周波数内の情報を保持することはできるものの、得られた画像データにより表される画像がボケてしまうという問題がある。
【０００６】
このため、市松サンプリングされた画像データに対して、画像の横方向にフィルタリング処理を施して補間点における信号値を算出した後、縦方向にも同様にフィルタリング処理を施すことにより、全画素位置における信号値を求めて、画像のボケを少なくする方法が考えられる。
【０００７】
ここで、市松サンプリングされた画像データのナイキスト周波数を２次元で表すと図１３（ａ）に示すような菱形状のレスポンスとなるのに対して、上述した画像の横方向にフィルタリング処理を施した後、縦方向にフィルタリング処理を施した場合のフィルタ特性は、図１３（ｂ）に示すような矩形状のレスポンスとなる。なお、図１３においてｆｓ／２は正方サンプリングされた画像データのナイキスト周波数であり、図１３（ａ）においては市松サンプリングの画像が再現可能な周波数帯域を実線で示し、図１３（ｂ）においてはフィルタのレスポンスが１／２となる位置を実線にて示している。したがって、市松サンプリングされた画像データに対して上述した画像の縦横方向についてのフィルタリング処理を施した場合、図１３（ａ）の周波数特性に図１３（ｂ）の周波数特性を乗じた範囲がフィルタリング処理後の画像が再現可能な周波数帯域となる。しかしながら、この場合図１３（ｃ）の斜線で示す部分がフィルタリング処理により失われてしまうため、元の画像の再現範囲を損なってしまう。このため、フィルタ特性を変更して図１３（ｄ）に示すようにフィルタのレスポンスが１／２となる位置を変更することが考えられるが、これによると図１３（ｅ）に示す斜線部分が図１３（ａ）に示す特性からはみ出して折り返し歪みが起こりエリアジングが発生するため、得られる画像の画質が劣化してしまう。
【０００８】
本発明は上記事情に鑑みなされたものであり、画像をぼかすことなく、かつ元の画像が有する情報を欠落させることなく、市松サンプリングされた画像データを正方サンプリングの画像データに変換することができる画像変換方法および装置並びに画像変換方法をコンピュータに実行させるためのプログラムを記録したコンピュータ読取り可能な記録媒体を提供することを目的とするものである。
【０００９】
【課題を解決するための手段】
本発明による画像変換方法は、市松サンプリングされた画像データを正方サンプリングされた画像データに変換する画像変換方法において、
Ｎ×Ｍ（Ｎ，Ｍの少なくとも一方は３以上）の高次の補間フィルタにおけるフィルタ係数の配置を、４５度回転させたフィルタ係数の配置を有する補間フィルタによって、前記画像データに対してフィルタリング処理を施すことにより、前記画像データを正方サンプリングされた画像データに変換することを特徴とするものである。
【００１０】
なお、「Ｎ，Ｍの少なくとも一方が３以上である」としたのは、Ｎ＝２，Ｍ＝２の場合は、高次の補間フィルタとはならず、線形補間フィルタとなるからである。また、Ｎ，Ｍは正の整数であることはもちろんである。
【００１１】
なお、本発明による画像変換方法においては、前記フィルタ係数が、４×４のCubicスプライン補間演算を行う補間フィルタのフィルタ係数であることが好ましい。
【００１２】
本発明による画像変換装置は、市松サンプリングされた画像データを正方サンプリングされた画像データに変換する変換手段を備えた画像変換装置において、前記変換手段は、Ｎ×Ｍ（Ｎ，Ｍの少なくとも一方は３以上）の高次の補間フィルタにおけるフィルタ係数の配置を、４５度回転させたフィルタ係数の配置を有する補間フィルタによって、前記画像データに対してフィルタリング処理を施すことにより、前記画像データを正方サンプリングされた画像データに変換する手段であることを特徴とするものである。
【００１３】
なお、本発明による画像変換装置においては、前記フィルタ係数が、４×４のCubicスプライン補間演算を行う補間フィルタのフィルタ係数であることが好ましい。
【００１４】
なお、本発明による画像変換方法をコンピュータに実行させるためのプログラムとして、コンピュータ読取り可能な記録媒体に記録して提供してもよい。
【００１５】
また、本発明による画像変換装置をデジタルカメラ等の撮像装置に設けてもよく、プリンタ等の出力装置に設けてもよい。
【００１６】
【発明の効果】
正方サンプリングされた画像データに対して補間演算を施す場合、Ｎ×Ｍの高次の補間フィルタを使用すれば、画像をぼかすことなく、かつ元の画像の再現範囲を損なうことなく、画像を補間することができる。本発明によれば、このような高次の補間フィルタのフィルタ係数の配置を４５度回転させたフィルタ係数の配置を有する補間フィルタにより補間演算を施すようにしたため、画像の周波数特性が正方サンプリングと比較して４５度回転した方向に傾斜している市松サンプリングの画像データに対して、画像をぼかすことなく、かつ元の画像の再現範囲を損なうことなく補間演算を施して、正方サンプリングされた画像データを得ることができる。
【００１７】
【発明の実施の形態】
以下図面を参照して本発明の実施形態について説明する。
【００１８】
図１は本発明の実施形態による画像変換装置の構成を示す概略ブロック図である。図１に示すように、本発明の実施形態による画像変換装置は、市松状に画素が配列されてなるＣＣＤ１において得られる市松サンプリングされた画像データＳ０に対して補間演算を施して、画像データＳ０を正方サンプリングされた画像データＳ１に変換する補間演算手段２を備えてなるものである。
【００１９】
なお、本発明による画像変換装置は、デジタルカメラやフイルムから画像を読み取るスキャナ等の撮像装置に設けられるものであってもよく、これらの撮像装置において得られた画像信号を再生するモニタやプリンタ等の出力装置に設けられるものであってもよい。また、画像変換装置単体として用いてもよいことはもちろんである。
【００２０】
ＣＣＤ１は、図１に示すように上下ライン（あるいは左右ライン）の画素配列が、各ライン毎に交互に１／２画素相対的にずれることにより、市松状に画素が配列されてなるものである。
【００２１】
補間演算手段２においては、以下のようにして画像データＳ０に対して補間演算が施される。図２に示すように、市松サンプリングされた画像データＳ０は、○印の位置においては信号値を有するが、×印の位置（以下空孔画素位置とする）においては信号値を有さないものである。このため、空孔画素位置における信号値を補間演算により算出するために、図１に示す係数を有する補間フィルタＦ０により、画像データＳ０に対してフィルタリング処理を施して、正方サンプリングされた画像データＳ１を得るものである。なお、このフィルタリング処理とは、補間フィルタＦ０のフィルタ係数を、○印の位置における信号値に畳み込むことをいう。
【００２２】
補間フィルタＦ０は以下のようにして作成される。まず、４画素の中点における信号値を求めるための１次元のCubicスプライン補間演算の補間係数は、−１／１６，９／１６，９／１６，−１／１６であるため、これを２次元に展開すると図３に示すように４×４の係数行列からなる補間フィルタとなる。そして、この補間フィルタのフィルタ係数の配置を４５度回転させることにより、図１に示すフィルタ係数の配置を有する補間フィルタＦ０が得られる。
【００２３】
ここで、Cubicスプライン補間演算のように高次の補間演算は、画像をぼかすことなく、かつ元の画像の再現範囲を損なうことなく、画像を補間することができるものである。図２に示す市松サンプリングは、×印の位置にも信号値を有する正方サンプリングと比較すると、画像の周波数特性は４５度回転した方向に傾斜しているものとなる。このため、図３に示すCubicスプライン補間演算を行う補間フィルタのフィルタ係数の配置を４５度回転させた図１に示す補間フィルタＦ０により、市松サンプリングされた画像データＳ０に対して補間演算を施せば、得られた画像データＳ１により表される画像は、正方サンプリングされた画像データに対して図３に示す補間フィルタによるフィルタリング処理を施した場合と同様に、画像のボケおよび元の画像の再現範囲の欠落のないものとなる。
【００２４】
次いで、本実施形態の動作について説明する。図４は本実施形態の動作を示すフローチャートである。まず、ＣＣＤ１において撮影を行い（ステップＳ１）、市松サンプリングされた画像データＳ０を得る。画像データＳ０は補間演算手段２に入力され、ここで補間フィルタＦ０によりフィルタリング処理が施されて、図２の×印の空孔画素位置における信号値が算出され、これにより正方サンプリングされた画像データＳ１を得（ステップＳ２）、処理を終了する。
【００２５】
なお、上記実施形態においては、図１に示すような補間フィルタＦ０により補間演算を行っているが、図５に示すように０を用いてフィルタ係数が市松状に配置された補間フィルタとしてもよい。また、図６に示すように補間フィルタＦ０のフィルタ係数の間に０を補間した正方状の補間フィルタとしてもよい。ここで、図５，６に示す補間フィルタを使用すると、０を乗じるための計算量が多くなるが、例えば装置にＤＳＰ（Digital Signal Processor)のような積和演算専用の演算素子を実装する場合には、単純な積和演算のみにより計算を行った方が、より高速に処理を行うことができる。したがって、このような積和演算専用の演算素子を用いることにより、演算量が増えても演算時間を増加させることなく補間フィルタＦ０によりフィルタリング処理を行って、正方サンプリングされた画像データＳ１を得ることができる。
【００２６】
また、上記実施形態においては、Cubicスプライン補間演算を行うための補間フィルタを使用しているが、Ｂスプライン補間演算、ラグランジェ補間演算等の高次の補間演算を行うための補間フィルタであれば、いかなるものをも適用することができる。また、４×４の補間フィルタを使用しているが、これに限定されるものではなく、Ｎ，Ｍのいずれか一方が３以上となる補間フィルタであれば、いかなるフィルタをも適用することができる。
【００２７】
さらに、上記実施形態においては、ＣＣＤ１において得られた画像データＳ０に対して補間演算を施しているが、画像を光電的に読み取るスキャナにおいて得られた画像データに対しても同様に補間演算を施すことが可能である。この場合、スキャナにおいては、１ラインの走査毎にサンプルホールドする位置を半画素ずらすことにより、得られる画像データは市松サンプリングされたものとなる。
【００２８】
次いで、本発明による画像変換装置を適用した画像出力システムの実施形態を他の実施形態として説明する。図７は本発明による画像変換装置を適用した画像出力システムの構成を示す概略ブロック図である。図７に示すように、他の実施形態による画像出力システムは、所定のサンプリング配置により画像を捕捉することにより画像データＳ１１を取得するとともに、サンプリング配置に関するサンプリング情報Ｊを画像データＳ１１に付与して出力する画像取得手段１６から出力された画像データＳ１１に対して処理を施すものであり、画像データＳ１１を読み出すための画像読出手段１１と、画像データＳ１１に付与されたサンプリング情報Ｊに基づいて、画像取得手段１６において画像を捕捉した際のサンプリング配置が市松サンプリングか正方サンプリングであるかを判別する判別手段１２と、判別手段１２における判別結果に基づいて、画像データＳ１１に対して後述する変換処理を含む画像処理を施して処理済み画像データＳ１２を得る画像処理手段１３と、処理済み画像データＳ１２を再生する再生手段１４とを備える。
【００２９】
図８は画像取得手段１６の一例を示すブロック図である。図８に示すように画像取得手段１６は例えばデジタルカメラであり、シーンの画像を市松サンプリングにより捕捉して画像を表す画像データＳ１０を得るＣＣＤ１７と、市松サンプリングの画像データＳ１０に対して補間演算を施して、画像データＳ１０のサンプリング配置を市松サンプリングから正方サンプリングに変換して正方サンプリングの画像データＳ１１を得る市松正方変換手段１８と、画像を捕捉した際のサンプリング配置に関する情報をサンプリング情報Ｊとして、これを画像データＳ１１に付与してメモリカード等のメディア２０に記録する記録手段１９とを備える。なお、ＣＣＤ１７が元々正方サンプリングである場合には、画像取得手段１６には市松正方変換手段１８は設けられず、ＣＣＤ１７において得られた画像データＳ１０が、サンプリング情報Ｊとともにそのまま画像データＳ１１としてメディア２０に記録される。
【００３０】
一方、画像取得手段１６が画像を光電的に読み取るスキャナである場合に、画像を市松サンプリングにより捕捉するには、１ラインの走査毎にサンプルホールドする位置を半画素ずらすことにより、得られる画像データＳ１０は市松サンプリングされたものとなる。この場合、スキャナには図８に示す市松正方変換手段１８が設けられ、これにより画像データＳ１０のサンプリング配置が市松サンプリングから正方サンプリングに変換されて、正方サンプリングの画像データＳ１１が得られる。
【００３１】
なお、画像データＳ１０が市松サンプリングされたものである場合、図２に示すように○の画素位置には信号値を有するが、×の画素位置には信号値を有さないものとなる。したがって、市松正方変換手段１８においては、例えば上記特開平５−１４５８５７に記載されたように○画素位置の信号値を用いて図１２に示すような線形補間フィルタにより補間演算が行われて、×画素位置の信号値が求められ、正方サンプリングの画像データＳ１１が得られる。
【００３２】
記録手段１９は、画像データＳ１１にサンプリング情報Ｊを付与してメディア２０に記録するものである。この付与方法としては、画像データＳ１１のファイルヘッダにサンプリング情報Ｊを記述する、メディア２０内の別々のファイルに画像データＳ１１およびサンプリング情報Ｊを記述する、メディア２０に複数の画像データＳ１１を記録する際に、画像データＳ１１に関する情報を記述するファイルを作成し、このファイルにサンプリング情報Ｊを記述する等種々の方法を採用することができる。
【００３３】
ここで、サンプリング情報Ｊとしては、市松サンプリングおよび正方サンプリングの区別を表す記号、市松サンプリングおよび正方サンプリングの区別を表す記号と画像捕捉時の画素数、画像データＳ１０の周波数特性を示す情報等が挙げられる。
【００３４】
なお、サンプリング情報Ｊとしてはこれらに限定されるものではなく、画像データＳ１０が正方サンプリングである場合には、何ら情報を付与しないものであってもよく、画像取得手段１６の機種に応じてサンプリング配置が特定できる場合には、その機種に関する情報であってもよい。
【００３５】
図７に戻り、判別手段１２は、サンプリング情報Ｊに基づいて、画像の捕捉時におけるサンプリング配置を判別する。ここで、サンプリング情報Ｊが市松サンプリングおよび正方サンプリングを表す記号であればその記号を判別し、サンプリング情報Ｊにこの記号に加えて画像捕捉時の画素数が含まれている場合には、記号を判別するとともに画像データＳ１１の周波数特性も判別する。また、サンプリング情報Ｊが画像データＳ１１の周波数特性を示す情報である場合には、その周波数特性により表されるレスポンスの形状からサンプリング配置を判別する。
【００３６】
画像処理手段１３は、判別手段１２における判別結果に応じて画像データＳ１１に対して下記のようにして画像処理を施して処理済み画像データＳ１２を得るものである。図９は画像処理手段１３の構成を示す概略ブロック図である。図９に示すように、画像処理手段１３は、画像取得手段１６において画像を捕捉した際のサンプリング配置が市松サンプリングであると判別された場合に、画像データＳ１１の○画素位置の信号値のみを用いて、画像データＳ１１に対して上記図１の実施形態において説明した補間フィルタＦ０による補間演算を施して、新たな正方サンプリングの画像データＳ１１′を得る変換処理手段２２と、画像データＳ１１′に対して階調処理、シャープネス強調処理等の画像処理を施して処理済み画像データＳ１２を得る処理手段２３とを備える。なお、変換処理手段２２は画像を捕捉した際のサンプリング配置が正方サンプリングであると判別された場合には、何ら処理を行うことなく画像データＳ１１をそのまま出力するものである。
【００３７】
変換処理手段２２においては、以下のようにして画像データＳ１１に対して補間演算が施される。図２に示すように、市松サンプリングされた画像データＳ１０は、○画素位置においては信号値を有するが、×画素位置においては信号値を有さないものである。一方、正方サンプリングの画像データＳ１１は×画素位置の信号値を有するが、これは画像取得手段１６において図１２に示す特性を有する線形の補間フィルタを用いた補間演算により求められたものであることから、画像データＳ１１により表される画像はボケが大きいものとなっている。このため、変換処理手段２２は、上記補間フィルタＦ０により、画像取得手段１６において取得された○画素位置の信号値のみを用いて画像データＳ１１に対してフィルタリング処理を施して×画素位置の信号値を求め、これを画像データＳ１１における×画素位置の信号値と置き換えることにより、新たな正方サンプリングされた画像データＳ１１′を得るものである。
【００３８】
再生手段１４は、デジタル写真銀塩プリンタ、インクジェットプリンタ等のハードコピーデバイス、ＣＲＴ、液晶ディスプレイ等のソフトコピーデバイス等、処理済み画像データＳ１２を可視像として再生可能なものである。
【００３９】
次いで、他の実施形態の動作について説明する。図１０は他の実施形態の動作を示すフローチャートである。図１０に示すように、まず画像取得手段１６において取得された画像データＳ１１およびサンプリング情報Ｊが画像読出手段１１において読み出されて、画像処理手段１３および判別手段１２に入力される（ステップＳ１１）。判別手段１２においては、サンプリング情報Ｊに基づいて、画像取得手段１６において画像を捕捉した際のサンプリング配置が市松サンプリングであるか正方サンプリングであるかが判別される（ステップＳ１２）。そして、判別結果が正方サンプリングであった場合には（ステップＳ１３）、画像処理手段１３において、画像データＳ１１に対して処理手段２３における画像処理のみが施されて処理済み画像データＳ１２が得られる（ステップＳ１４）。処理済み画像データＳ１２は再生手段１４において再生され（ステップＳ１５）、処理を終了する。
【００４０】
一方、判別結果が市松サンプリングであった場合にはステップＳ１３が否定され、変換処理手段２２において画像データＳ１１に対して補間フィルタＦ０による補間演算が施されて新たな正方サンプリングの画像データＳ１１′が得られる（ステップＳ１６）。そして、新たな正方サンプリングの画像データＳ１１′に対して処理手段２３において画像処理が施されて処理済み画像データＳ１２が得られる（ステップＳ１４）。処理済み画像データＳ１２は再生手段１４において再生され（ステップＳ１５）、処理を終了する。
【００４１】
このように、他の実施形態においては、画像を捕捉する際のサンプリング情報Ｊに基づいて、市松サンプリングにより画像が捕捉されたものであると判別された場合には、画像取得手段１６において行われた補間演算とは異なる補間フィルタＦ０を用いた補間演算により、×画素位置の信号値を生成して新たな正方サンプリングの画像データＳ１１′を得るようにしたため、新たな正方サンプリングの画像データＳ１１′は、画像データＳ１１と比較して、画像のボケが少ないものとなる。したがって、この新たな画像データＳ１１′に対して画像処理を施すことにより、ボケが少ない高画質の画像を得ることができる。
【００４２】
また、画像捕捉時のサンプリング配置に関するサンプリング情報Ｊを画像データＳ１１に付与することにより、サンプリング情報Ｊを参照すれば画像データＳ１１により表される画像が市松サンプリングにより捕捉されたものか、正方サンプリングにより捕捉されたものかを直ちに知ることができ、新たな正方サンプリングの画像データＳ１１′を得るための演算の可否を容易に判断することができる。
【００４３】
また、上記他の実施形態においては、画像取得手段１６において取得した画像データＳ１１をサンプリング情報Ｊとともにメディア２０に記録して、画像読出手段１１においてデータを読み出しているが、画像データＳ１１をサンプリング情報Ｊとともにネットワークを介して画像読出手段１１に転送してもよい。この場合、画像取得手段１６の記録手段１９に代えて、画像取得手段１６と画像読出手段１１とを接続するためのインターフェイスが用いられる。
【００４４】
さらに、上記他の実施形態においては、画像取得手段１６において画像データＳ１１にサンプリング情報Ｊを付与し、判別手段１２において市松サンプリングであるか正方サンプリングであるかを判別しているが、画像データＳ１１が全て市松サンプリングにより得られたものであることが分かっているような場合には、とくに画像データＳ１１にサンプリング情報Ｊを付与することなく、かつ判別手段１２により市松サンプリングであるか正方サンプリングであるかの判別を行うことなく、画像処理手段１３において処理を行うようにしてもよい。
【図面の簡単な説明】
【図１】本発明の実施形態による画像変換装置の構成を示す概略ブロック図
【図２】市松サンプリングされた画像データの画素配置を示す図
【図３】２次元Cubicスプライン補間演算を行う補間フィルタを示す図
【図４】本実施形態の動作を示すフローチャート
【図５】補間フィルタの他の例を示す図
【図６】補間フィルタの他の例を示す図
【図７】本発明による画像変換装置を適用した画像出力システムの構成を示す概略ブロック図
【図８】画像取得手段の構成を示す概略ブロック図
【図９】画像処理手段の構成を示す概略ブロック図
【図１０】本発明による画像変換装置を適用した画像出力システムの動作を示すフローチャート
【図１１】市松サンプリングおよび正方サンプリングの画素配置を示す図
【図１２】線形補間フィルタを示す図
【図１３】市松サンプリングおよび正方サンプリングのナイキスト周波数を示す図
【符号の説明】
１    ＣＣＤ
２    補間演算手段
１１    画像読出手段
１２    判別手段
１３    画像処理手段
１４    再生手段
１６    画像取得手段
１７    ＣＣＤ
１８    市松正方変換手段
１９    記録手段
２０  メディア
２２  変換処理手段
２３  処理手段
Ｆ０  補間フィルタ
【図１】
0003992903.tif 000002
【図２】
0003992903.tif 000003
【図３】
0003992903.tif 000004
【図４】
0003992903.tif 000005
【図５】
0003992903.tif 000006
【図６】
0003992903.tif 000007
【図７】
0003992903.tif 000008
【図８】
0003992903.tif 000009
【図９】
0003992903.tif 000010
【図１０】
0003992903.tif 000011
【図１１】
0003992903.tif 000012
【図１２】
0003992903.tif 000013
【図１３】
0003992903.tif 000014